(57)【要約】【課題】  １つの作像系で原稿用紙に文字や記号を印字印刷することのできる画像形成装置を提供することを目的とする。【解決手段】  図１のように原稿用紙の搬送経路上に感光体４を含む作像系を設け、該作像系により、原稿用紙への印字印刷を行う。原稿用紙への印刷の詳細は、コントロールパネル２０からコマンド入力を行うことで決定する。【選択図】  図１
2007072204.tif 000002
【特許請求の範囲】
【請求項１】
像担持体を含んで成る作像系において電子写真方式のプロセスで作像処理を行うことで印刷処理を行う画像形成装置であって、
原稿用紙が搬送される原稿用紙搬送経路及び記録紙が搬送される記録紙搬送経路に対向して前記作像系が配設されており、
前記作像系は、前記原稿用紙及び前記記録紙に印刷処理を行うことを特徴をする画像形成装置。
【請求項２】
前記作像系が前記原稿用紙に印刷する印刷内容の種類を選択する種類選択手段を有することを特徴とする請求項１記載の画像形成装置。
【請求項３】
前記作像系が前記原稿用紙に印刷する印刷内容を所定の形式に変換する印刷内容変換手段を有することを特徴とする請求項２記載の画像形成装置。
【請求項４】
前記所定の形式とは、コード形式あるいは暗号形式であることを特徴とする請求項３記載の画像形成装置。
【請求項５】
前記作像系が前記原稿用紙に印刷する印刷内容の印刷位置を選択する位置選択手段を有することを特徴とする請求項１から４のいずれか１項に記載の画像形成装置。
【請求項６】
前記作像系が前記原稿用紙に印刷する印刷内容の印刷方向を選択する方向選択手段を有することを特徴とする請求項１から５のいずれか１項に記載の画像形成装置。
【請求項７】
前記作像系が前記原稿用紙に印刷する印刷内容のサイズを選択するサイズ選択手段を有することを特徴とする請求項１から６のいずれか１項に記載の画像形成装置。
【請求項８】
前記作像系が前記原稿用紙に形成する印刷内容を登録する登録手段を有することを特徴とする請求項１から７のいずれか１項に記載の画像形成装置。
【請求項９】
前記原稿用紙への印刷処理を、前記記録紙への複写処理とは異なる個別のジョブとして行う請求項１から８のいずれか１項に記載の画像形成装置。
【請求項１０】
前記画像形成装置の前記原稿用紙搬送経路と前記記録紙搬送経路とが、前記作像系よりも前の地点で合流しており、
前記原稿用紙を排紙する第１の排紙トレイと、
前記記録紙を排紙する第２の排紙トレイと、
前記原稿用紙を前記第１の排紙トレイに導き、前記記録紙を前記第２の排紙トレイに導く経路選択手段と、を前記作像系の後の地点に配設したことを特徴とする請求項１から９のいずれか１項に記載の画像形成装置。
【発明の詳細な説明】
【技術分野】
【０００１】
本発明は、画像形成装置に関し、特に、電子写真方式の画像形成装置に関する。
【背景技術】
【０００２】
近年、画像形成装置の分野において、印刷（画像形成）対象となる原稿用紙に文字や記号を付加する機構を備えた画像形成装置が提案されている。
【０００３】
特許文献１や特許文献２では、原稿自動供給装置（ＡＤＦ）に、原稿に所定の文字や記号を印刷するための印刷手段を設けた画像形成装置が提案されている。
【特許文献１】特開平４−１９９１６２号公報
【特許文献２】特開２００４−０８０６４３号公報
【発明の開示】
【発明が解決しようとする課題】
【０００４】
しかし、上記提案されている画像形成装置では、原稿用紙に文字を印刷するための印刷装置（作像系）を原稿自動供給装置に個別に設けなければならないため、コスト的に割高になってしまう。また、この印刷装置においては単純な文字の羅列は可能であるが、例えば複雑な図形の入力を行うことができない。
【０００５】
また、これらの画像形成装置においては、原稿の複写の過程で原稿への印字印刷を行う。したがって、原稿への印字印刷処理と、原稿内容の記録紙への複写処理とを独立した別の処理として実行することができず、原稿用紙への印字印刷処理のみを行うということができない。
【０００６】
本発明は上記問題点に鑑みてなされたものであり、１つの作像系で原稿用紙に文字や記号を印字印刷することのできる画像形成装置を提供することを目的とする。
【課題を解決するための手段】
【０００７】
請求項１記載の発明は、像担持体を含んで成る作像系において電子写真方式のプロセスで作像処理を行うことで印刷処理を行う画像形成装置であって、原稿用紙が搬送される原稿用紙搬送経路及び記録紙が搬送される記録紙搬送経路に対向して前記作像系が配設されており、前記作像系は、前記原稿用紙及び前記記録紙に印刷処理を行うことを特徴をする。
【０００８】
請求項２記載の発明は、請求項１記載の画像形成装置において、前記作像系が前記原稿用紙に印刷する印刷内容の種類を選択する種類選択手段を有することを特徴とする。
【０００９】
請求項３記載の発明は、請求項２記載の画像形成装置において、前記作像系が前記原稿用紙に印刷する印刷内容を所定の形式に変換する印刷内容変換手段を有することを特徴とする。
【００１０】
請求項４記載の発明は、請求項３記載の画像形成装置において、前記所定の形式とは、コード形式あるいは暗号形式であることを特徴とする。
【００１１】
請求項５記載の発明は、請求項１から４のいずれか１項に記載の画像形成装置において、前記作像系が前記原稿用紙に印刷する印刷内容の印刷位置を選択する位置選択手段を有することを特徴とする。
【００１２】
請求項６記載の発明は、請求項１から５のいずれか１項に記載の画像形成装置において、前記作像系が前記原稿用紙に印刷する印刷内容の印刷方向を選択する方向選択手段を有することを特徴とする。
【００１３】
請求項７記載の発明は、請求項１から６のいずれか１項に記載の画像形成装置において、前記作像系が前記原稿用紙に印刷する印刷内容のサイズを選択するサイズ選択手段を有することを特徴とする。
【００１４】
請求項８記載の発明は、請求項１から７のいずれか１項に記載の画像形成装置において、前記作像系が前記原稿用紙に形成する印刷内容を登録する登録手段を有することを特徴とする。
【００１５】
請求項９記載の発明は、請求項１から８のいずれか１項に記載の画像形成装置において、前記原稿用紙への印刷処理を、前記記録紙への複写処理とは異なる個別のジョブとして行うことを特徴とする。
【００１６】
請求項１０記載の発明は、請求項１から９のいずれか１項に記載の画像形成装置において、前記画像形成装置の前記原稿用紙搬送経路と前記記録紙搬送経路とが、前記作像系よりも前の地点で合流しており、前記原稿用紙を排紙する第１の排紙トレイと、前記記録紙を排紙する第２の排紙トレイと、前記原稿用紙を前記第１の排紙トレイに導き、前記記録紙を前記第２の排紙トレイに導く経路選択手段と、を前記作像系の後の地点に配設したことを特徴とする。
【発明の効果】
【００１７】
本発明の画像形成装置においては、原稿用紙が搬送される原稿用紙搬送経路及び記録紙が搬送される記録紙搬送経路に対向して作像系を設け、該作像系で原稿用紙に印刷処理を行うことができる構成としているので、複数の作像系を設けることなく電子写真方式の印刷プロセスで原稿用紙に印刷処理を行うことが可能となる。
【発明を実施するための最良の形態】
【００１８】
＜第１の実施形態＞
以下、本発明の画像形成装置について、実施の形態に即して説明する。まず、本発明の第１の実施形態について説明する。
【００１９】
＜画像形成装置＞
まず、図１を参照して、本実施形態の画像形成装置の構成について説明する。
【００２０】
本実施形態の画像形成装置１は、ＣＩＳ２と、光走査装置３と、感光体４と、帯電装置５と、現像装置６と、転写装置７と、クリーニング装置８と、定着装置９と、搬送ローラ１０と、レジストローラ１１と、排紙ローラ１２と、原稿トレイ１３と、排紙トレイ１４と、給紙トレイ１５と、を有する。
【００２１】
なお、図１において、矢印Ａは、原稿用紙が搬送される搬送経路を示す。この搬送経路上には、搬送方向に沿って、搬送ローラ１０、ＣＩＳ２、レジストローラ１１、感光体４（転写装置７）、定着装置９、排紙ローラ１２が配設されており、経路の始点は原稿トレイ１３、経路の終点は排紙トレイ１４となっている。また、記録紙が搬送される搬送経路上には、搬送方向に沿って、搬送ローラ１０、レジストローラ１１、感光体４（転写装置７）、定着装置９、排紙ローラ１２が配設されており、経路の始点は給紙トレイ１５、経路の終点は排紙トレイ１４となっている。
【００２２】
ＣＩＳ（contact image sensor）２は、密着型撮像素子であり、搬送されてくる原稿に光を照射し、その反射光（透過光）の光強度を検出することで原稿用紙（原稿内容）を読み取る。
【００２３】
光走査装置３は、画像データ（ＣＩＳ２で読み取った原稿内容）あるいは付加データに基づいて、感光体４の表面にレーザ光を照射する。付加データについては後で詳述する。
【００２４】
感光体４は、搬送経路上に設けられたドラム形状の像担持体であり、一定方向に回転する（回動する）。図１に示す画像形成装置１では時計回りに回転する。この感光体４の近傍には、帯電装置５と、現像装置６と、転写装置７と、クリーニング装置８と、が回転方向に沿って配設されており、いわゆる作像系を形成している。
【００２５】
なお、光走査装置３は、帯電装置５と現像装置６との間で感光体４の表面にレーザ光を照射する。
【００２６】
帯電装置５は、感光体４の表面を一様に帯電させる。この帯電した感光体４上にレーザ光が照射されることにより、感光体４上に静電潜像が形成される。
【００２７】
現像装置６は、感光体４に形成された静電潜像をトナー（現像剤）で現像し、感光体４にトナー像を形成する。
【００２８】
転写装置７は、感光体４上に形成されているトナー像を、搬送されてくる記録紙または原稿用紙に転写する。
【００２９】
クリーニング装置８は、転写後に感光体４上に残留しているトナーを除去、回収する。
【００３０】
定着装置９は、搬送経路上に設けられた装置であり、対向して圧接された高温のローラからなり、転写装置７により記録紙（原稿用紙）に転写されたトナー像をその紙媒体に熱定着させる。
【００３１】
搬送ローラ１０は、搬送経路上に設けられたローラであり、回転駆動することで記録紙あるいは原稿用紙を１枚ずつ搬送する。
【００３２】
レジストローラ１１は、搬送経路上に設けられたローラであり、記録紙（原稿用紙）を副走査方向の記録開始のタイミングに合わせて送り出す。
【００３３】
排紙ローラ１２は、搬送経路上に設けられたローラであり、回転駆動することで記録紙（原稿用紙）を排紙トレイ１４に排紙する。
【００３４】
原稿トレイ１３は、原稿用紙をセットするためのトレイであり、原稿用紙の搬送経路の始点に該当する。また、排紙トレイ１４は、原稿用紙あるいは記録紙を排紙するためのトレイであり、搬送経路の終点に該当する。
【００３５】
給紙トレイ１５は、記録紙をセットするためのトレイであり、記録紙の搬送経路の始点に該当する。なお、給紙トレイ１５には用紙サイズ別に記録紙がセットされており、印刷設定に応じて対応するサイズの記録紙を搬送することが可能となっている。
【００３６】
＜コントロールパネル＞
次に、図２を参照して、本実施形態の画像形成装置１に設けられているコントロールパネル２０について説明する。
【００３７】
コントロールパネル２０は、液晶ディスプレイ２１と、テンキー２２と、クリア／ストップキー２３と、スタートキー２４と、リセットキー２５と、初期設定キー２６と、を有する。
【００３８】
液晶ディスプレイ２１は、印刷モードの表示や画像形成装置１の駆動状態、あるいは異常状態などを示すメッセージや画像を表示する。また、印刷モードや変倍処理、記録紙サイズや印刷枚数の設定画面を表示する。
【００３９】
なお、この液晶ディスプレイ２１はタッチパネル方式を採用しており、ユーザは液晶ディスプレイ２１の画面表示に直接タッチすることで内容を選択することが可能となっている。
【００４０】
テンキー２２は、数字入力を行う際のキーである。なお、テンキー２２は文字入力にも対応しており、後述する付加データの内容を設定することが可能となっている。
【００４１】
クリア／ストップキー２３は、現在実行している印刷処理の動作停止（ストップ）や入力した設定の消去（クリア）を行うためのキーである。スタートキー２４は、設定した印刷処理の実行や入力した情報を確定、決定するためのキーである。
【００４２】
リセットキー２５は、変更した印刷設定をリセットし、初期設定に戻すためのキーである。また、初期設定キー２６は、画像形成装置１の初期設定を任意にカスタマイズするためのキーである。
【００４３】
なお、コントロールパネル２０は、ユーザからの印刷実行や印刷モード、印刷設定の変更などのキー入力を受け付ける入力手段であり、且つ、ユーザに画像形成装置１の状態を表示する表示手段でもあるので、ユーザがキー入力を行いやすく且つ容易に視認することができる位置、例えば、画像形成装置１の上面に設けられる。
【００４４】
＜回路構成＞
次に、図３を参照して、本実施形態の画像形成装置１の回路構成について説明する。
【００４５】
本実施形態の画像形成装置１は、ＣＰＵ３０と、読み取り制御部３１と、画像処理部３２と、書き込み制御部３３と、付加データ制御部３４と、メモリ部３５と、コントロールパネル制御部３６と、駆動制御部３７と、を有する。
【００４６】
ＣＰＵ（Central Processing Unit）３０は、中央演算処理装置であり、画像形成装置１全体の制御、統制を行う。
【００４７】
読み取り制御部３１は、画像形成装置１の原稿読み取り処理の制御を行う。具体的には、ＣＩＳ２を動作制御して原稿用紙を読み取る。
【００４８】
画像データ処理部３２は、読み取り処理部で読み取ったデータ（以下、『画像データ』）に、各種の画像処理を行う。具体的には、シェーディング補正、γ補正、平滑化処理などのスキャナ画像補正や、変倍処理、ＭＴＦ補正などの補正処理を行う。そして、処理をした画像データをメモリ部３５に記憶させる。
【００４９】
書き込み制御部３３は、画像形成装置１の書き込み処理の制御を行う。具体的には、メモリ部３５に記憶された画像データに基づいて光走査装置３を制御し、感光体４上に静電潜像を形成する。また、後述する付加データ印刷モードの際には、付加データ制御部３４から付加データを取得し、該付加データに基づいて光走査装置３を制御し、感光体４上に静電潜像を形成する。
【００５０】
付加データ制御部３４は、後述する付加データ印刷モードにおける付加データを制御する。具体的には、付加データの内容や印字位置・印字サイズの制御、日付やページ数などの数値が変動する付加データの数値変更制御などを行う。
【００５１】
メモリ部３５は、ＲＯＭ（Read Only Memory）やＲＡＭ（Random Access Memory）、ＮＶＲＡＭ（Nonvolatile RAM）などのメモリからなり、初期設定や印刷モード、画像データや付加データなどの記憶蓄積を行う。
【００５２】
コントロールパネル制御部３６は、コントロールパネル２０の制御を行う。具体的には、液晶ディスプレイ２１の表示制御や、キー入力の検知を行う。
【００５３】
駆動制御部３７は、画像形成装置１の各種駆動部の制御を行う。具体的には、感光体４や帯電装置、搬送ローラ１０やレジストローラ１１などの駆動制御を行う。
【００５４】
＜画像形成処理／通常モード＞
次に、本実施形態の画像形成装置１の通常モードの画像形成処理について説明する。
【００５５】
印刷モードを通常モードに設定し、原稿用紙を原稿トレイ１３におき、印刷実行キーであるスタートキー２４を押下すると、搬送ローラ１０は原稿用紙を１枚ずつ搬送経路に搬送する。搬送経路上のＣＩＳ２は、搬送されてきた原稿用紙を読み取る。画像データ処理部３２は、読み取った原稿内容（画像データ）を画像処理し、メモリ部３５に記憶する。なお、ＣＩＳ２で読み取られた原稿用紙は、そのまま排紙トレイ１４に排紙される。以上の処理が、原稿トレイ１３におかれた原稿用紙すべてについて行われる。
【００５６】
原稿読み取り処理が終わると、書き込み制御部３３は、メモリ部３５に記憶した画像データに基づいて光走査装置４を制御し、帯電装置５により帯電した感光体４上に静電潜像を形成する。該静電潜像は、現像装置６によりトナー現像される。
【００５７】
また、印刷設定で選択されているサイズの記録紙が、搬送ローラ１０により給紙トレイ１５から搬送される。該記録紙は、レジストローラ１１により副走査方向の記録開始のタイミングを合わせて搬送される。
【００５８】
転写装置７において、感光体４上に形成されたトナー像が搬送されてくる記録紙上に転写され、定着装置９においてトナー像の記録紙への熱定着処理がなされ、排紙ローラ１２により排紙トレイ１４に排紙される。上記処理をすべての画像データにつき行うことで画像形成処理が完了する。
【００５９】
＜画像形成処理／データ付加モード＞
次に、本実施形態の画像形成装置１のデータ付加モードでの画像形成処理について説明する。データ付加モードとは、原稿用紙に付加データの印刷処理を行うモードのことである。
【００６０】
なお、ここでいう付加データとは、例えば、ページ数、印刷日時、資料名、印刷実行者名、印刷処理を実行した画像形成装置の識別子、機密資料であることを示すマーク、バーコードなどの記号である。
【００６１】
まず、印刷モードをデータ付加モードに切り替え、原稿用紙のサイズ、原稿用紙に印刷する付加データの種類、付加データの印刷位置、印刷サイズ及び印刷向きを設定する。具体的には、コントロールパネル２０の液晶ディスプレイ２１に表示される表示内容を選択することで設定を行う。
【００６２】
図４は、液晶ディスプレイ２１に表示される付加データの種類の選択画面である。ここでは、選択肢として、「日付」、「ページ数」、「ユーザ入力」、「プリンタＩＤ」、「定型記号」、「登録済みデータ」の６種類が挙げられており、複数選択が可能となっている。
【００６３】
「日付」はプリント時の日付時刻を、「ページ数」は原稿用紙のページ数を、「プリンタＩＤ」は画像形成装置１の識別子を、「定型記号」は『印刷済み』や『持ち出し不可』などの定型マークを、付加データとして印刷する。これらの付加データは、メモリ部３５に登録付加データとして記憶蓄積されている。なお、日付やページ数などの数値の変動する付加データについては、付加データ制御部３４においてカウント制御、変更制御を行うことで対応する。
【００６４】
「ユーザ入力」は、ユーザが所望する文字列を付加データとして印刷するものであり、例えば、資料名や印刷実行者名を入力する。なお、文字列の入力は、コントロールパネル２０のテンキー２２から行う。
【００６５】
「登録済みデータ」は、ユーザが予め登録しておいた画像データを付加データとして印刷する。なお、付加データ用の画像データの登録は、例えば、付加データ登録モードにおいて、登録したい画像の印刷された原稿用紙を原稿トレイ１３においてこれをＣＩＳ２で読み込み、画像処理した上でメモリ部３５に記憶蓄積することで行う。
【００６６】
なお、付加データ用の画像データは、ＣＤなどの記録媒体を介して画像形成装置１に登録することができるようにしても良い。また、画像形成装置１に接続される外部端末などからデータ登録することができるようにしても良い。
【００６７】
図５は、液晶ディスプレイ２１に表示される付加データの印刷箇所の選択画面であり、ユーザは表示された定型の印刷箇所から所望のものを１つ選択する。なお、「ユーザ設定」は、印刷位置をユーザで任意設定するためのものである。
【００６８】
また、印刷箇所の設定後に付加データの印刷サイズの大きさ、印刷向きを設定する。この印刷サイズの大きさ、印刷向きの設定についても液晶ディスプレイ２１で選択することにより行う。
【００６９】
なお、ここで選択された、付加データの種類、印刷位置、印刷サイズ、印刷向きについてはメモリ部３５に保存される。
【００７０】
次に、付加データの印刷処理を行いたい原稿用紙を原稿トレイ１３に配置し、印刷実行キーであるスタートキー２４を押下すると、書き込み制御部３３は、メモリ部３５に記憶した付加データの種類、印刷位置、印刷向きに基づいて光走査装置４を制御し、帯電装置５により帯電した感光体４上に静電潜像を形成する。そして、現像装置６により該静電潜像をトナー像として現像する。
【００７１】
また、スタートキー２４の押下により、原稿トレイ１３上の原稿用紙が、搬送ローラ１０により給紙トレイ１５から１枚ずつ搬送される。そして、ＣＩＳ２において、搬送されてきた原稿用紙の内容が読み取られる。画像データ処理部３２は、読み取った原稿内容（画像データ）を画像処理し、メモリ部３５に記憶する。
【００７２】
この際、画像処理した画像データはそのままメモリ部３５に記憶されるのではなく、付加データを含めた状態で保存される。例えば付加データとして「日付」が選択されている場合には、ＣＩＳ２で読み取った原稿内容を画像処理した画像データに、付加データである「日付」を付加した画像データを保存する。
【００７３】
ＣＩＳ２を通過後、原稿用紙は、レジストローラ１１により副走査方向の記録開始のタイミングを合わせて搬送される。
【００７４】
転写装置７において、感光体４上に形成されたトナー像が搬送されてくる原稿用紙上に転写され、定着装置９においてトナー像の原稿用紙への熱定着処理がなされ、排紙ローラ１２により排紙トレイ１４に排紙される。
【００７５】
なお、ページ数のようなカウントアップが必要な付加データの際には、付加データ制御部３４が、メモリ３５に記憶されている付加データの数値を静電潜像形成毎に更新するので、カウントアップさせた付加データを印刷することが可能となっている。
【００７６】
＜追加印刷モード＞
上記で、データ付加モードでの印刷処理は終了となる。付加データを印刷処理した原稿用紙の内容をさらに記録紙に複写する際には、追加印刷モードを実行する。
【００７７】
この追加印刷モードは、上記のデータ付加モードの処理中、処理前あるいは処理後に、ユーザが記録紙のサイズ、複写枚数を設定し、追加印刷モードの実行を入力することで実行される。
【００７８】
追加印刷モードでは、上記データ付加モードでの原稿読み取り処理、付加データ印刷処理の終了の確認後、書き込み制御部３３は、メモリ部３５に記憶した画像データに基づいて光走査装置４を制御し、帯電装置５により帯電した感光体４上に静電潜像を形成する。該静電潜像は、現像装置６によりトナー現像される。
【００７９】
ここで、メモリ部３５に記憶した画像データは、付加データを付与した状態のものであるので、付加データの印刷処理のなされた原稿用紙と同様の画像データの静電潜像、トナー像が形成される。
【００８０】
また、選択されたサイズの記録紙が、搬送ローラ１０により給紙トレイ１５から搬送される。該記録紙は、レジストローラ１１により副走査方向の記録開始のタイミングを合わせて搬送される。
【００８１】
転写装置７において、感光体４上に形成されたトナー像が搬送されてくる記録紙上に転写され、定着装置９においてトナー像の記録紙への熱定着処理がなされ、排紙ローラ１２により排紙トレイ１４に排紙される。上記処理をすべての画像データにつき行うことで画像形成処理が完了する。
【００８２】
＜第１の実施形態の効果＞
このように本実施形態の画像形成装置においては、原稿用紙の搬送経路上に感光体などからなる作像系を設けているので、複数の作像系を設けることなく電子写真方式の印刷プロセスで原稿用紙に付加データを印刷することが可能となる。また、原稿用紙に付加データを印刷するという処理のみを単独で行うことができる。また、付加データの印刷内容、印刷位置、印刷方向についてユーザ本位で設定することができるのでユーザの利便性に資することが可能となる。
【００８３】
＜第２の実施形態＞
本実施形態の第２の実施形態について、図６を参照して説明する。
【００８４】
本実施形態の画像形成装置は、第１の実施形態の画像形成装置において、排紙トレイとして、原稿用紙が排紙される排紙トレイ１４Ａと、記録紙が排紙される１４Ｂとを設けている。また、搬送経路の定着装置９の後方に、記録紙の排紙方向を分岐する分岐ツメ１６を設けている。
【００８５】
経路選択手段としての分岐ツメ１６は、原稿読み取り処理時及び付加データ印刷時には水平方向を向いており、これにより原稿用紙は排紙トレイ１４Ａに排紙される。他方、記録紙への複写処理時には、分岐ツメ１６は下向きになっており、これにより記録紙は排紙トレイ１４Ｂに排紙される。
【００８６】
＜第２の実施形態の効果＞
このように原稿用紙の排紙される排紙トレイと記録紙の排紙される排紙トレイとを分けることにより、原稿用紙と記録紙とが混同することがなくなるので、ユーザに資することが可能となる。
【００８７】
＜第３の実施形態＞
本発明の第３の実施形態について、図７を参照して説明する。
【００８８】
本実施形態の画像形成装置は、上記第１の実施形態あるいは第２の実施形態の画像形成装置において、付加データ制御部３４に付加データを所定の形式に変換するデータ変換部３８を有する。
【００８９】
ここで所定の形式とは、例えば、バーコードやＱＲコードなどの形式や、不定の記号数列を羅列した暗号の形式である。
【００９０】
＜第３の実施形態の効果＞
このように構成することにより、原稿用紙に付加した付加データを他人が視認しても内容を理解することができなくなるので、情報の機密性を向上させることが可能となる。また、例えば、原稿にバーコードを付して原稿管理をバーコードで行うことが可能となるので、ユーザの利便性に資することが可能となる。
【００９１】
＜付記事項＞
なお、上述の実施形態は本発明の好適な実施形態の一例を示すものにすぎず、本発明の実施の形態を限定する趣旨のものではない。よって、本発明は上述の実施形態に限定されることはなく、その要旨を逸脱しない範囲内において種々の変形実施を行うことが可能である。例えば、上記実施形態の説明においては感光体が１つ設けられた画像形成装置を参照して説明しているが、本発明はこの形態の画像形成装置に限られるものではなく、４つの感光体を有するタンデム型の画像形成装置にも適用することができる。
【図面の簡単な説明】
【００９２】
【図１】第１の実施形態の画像形成装置の構成を示す図である。
【図２】コントロールパネルの構成を示す図である。
【図３】第１の実施形態の画像形成装置の回路構成を示す図である。
【図４】付加データの種類の選択画面を示す図である。
【図５】付加データの印刷箇所の選択画面を示す図である。
【図６】第２の実施形態の画像形成装置を示す図である。
【図７】第３の実施形態の画像形成装置の回路構成を示す図である。
【符号の説明】
【００９３】
１    画像形成装置
２    ＣＩＳ
４    感光体
２０    コントロールパネル
２１    液晶ディスプレイ
３４    付加データ制御部
【図１】
2007072204.tif 000003
【図２】
2007072204.tif 000004
【図３】
2007072204.tif 000005
【図４】
2007072204.tif 000006
【図５】
2007072204.tif 000007
【図６】
2007072204.tif 000008
【図７】
2007072204.tif 000009